【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
内外面を有する前胴回り域と後胴回り域と股下域とが形成され、前記股下域の幅方向中央には前記前胴回り域と前記後胴回り域とに向かって延びる吸収体が形成され、前記内面を内側にして前記股下域が二つ折りにされて前記前胴回り域と前記後胴回り域とが重なり合うように折り畳まれている使い捨てのおむつであって、
前記吸収体の周縁部の外側には、重なり合う前記内面どうしを部分的に剥離可能に接合させた仮留め域が形成されていることを特徴とするおむつ。
【請求項２】
前記仮留め域において重なり合う前記内面どうしは、第１ホットメルト接着剤、前記内面を形成している不織布の繊維どうしの機械的な交絡および前記繊維どうしの溶着のいずれかによって再接合不能な状態で接合している請求項１記載のおむつ。
【請求項３】
前記おむつが、前記前胴回り域と前記後胴回り域と前記股下域とのうちの少なくとも前記前胴回り域と前記後胴回り域とを有していて前記内面の少なくとも一部分が熱可塑性合成繊維の不織布で形成されているアウター部材と、前記股下域に位置するとともに前記股下域から前記前胴回り域と前記後胴回り域とに向かって延びていて前記アウター部材における前記内面に第２ホットメルト接着剤を介して取り付けられているインナー部材とを有し、前記インナー部材が前記吸収体を含むものであり、前記吸収体の前記周縁部の外側に位置している前記インナー部材の周縁部の外側に前記仮留め域が形成されている請求項２記載のおむつ。
【請求項４】
前記第２ホットメルト接着剤が前記仮留め域にも存在し、前記第２ホットメルト接着剤の前記アウター部材に対する単位面積当りの塗布量の分布は、前記仮留め域の前記アウター部材に対する前記第１ホットメルト接着剤の単位面積当りの塗布量よりも多い部位を有している請求項３記載のおむつ。
【請求項５】
前記仮留め域の前記第１ホットメルト接着剤の前記単位面積当りの塗布量が１−４ｇ／ｍ２であり、前記第２ホットメルト接着剤の前記多い部位における前記単位面積当りの塗布量が前記仮留め域における前記第１ホットメルト接着剤の前記単位面積当りの塗布量よりも多いが１０ｇ／ｍ２を越えることがない請求項４記載のおむつ。
【請求項６】
前記前胴回り域と前記後胴回り域とのそれぞれが横方向へ伸長状態で延びる複数条の弾性部材を含み、
前記インナー部材の前記周縁部は前記弾性部材と交差して延びる両側縁部と、前記弾性部材に並行して延びる両端縁部とを有し、前記インナー部材の前記周縁部の外側に形成された前記仮留め域における前記第１ホットメルト接着剤の塗布態様は、前記両側縁部の少なくとも一方に隣接するとともに、前記アウター部材の厚さ方向において前記弾性部材に重なる態様、および前記両端縁部の少なくとも一方に隣接するとともに、前記アウター部材の前記厚さ方向において前記弾性部材とは重なることのない態様のうちの少なくとも一方の態様にある請求項３−５のいずれかに記載のおむつ。
【請求項７】
前記弾性部材は、前記アウター部材の前記厚さ方向において、前記インナー部材の前記両側縁部のそれぞれと伸長状態で重なり合う態様および前記両側縁部のそれぞれと非伸長状態で重なり合う態様のいずれかの態様にある請求項６記載のおむつ。
【請求項８】
前記前胴回り域と前記後胴回り域とがそれぞれの横方向側縁部において互いに接合して、胴回り開口と一対の脚回り開口とが形成されているプルアップ型の使い捨ておむつおよび前記それぞれの横方向側縁部を互いに分離可能に連結して着用する開放型の使い捨ておむつのいずれかである請求項１−７のいずれかに記載のおむつ。
【手続補正２】
【補正対象書類名】明細書
【補正対象項目名】０００９
【補正方法】変更
【補正の内容】
【０００９】
図面は、本開示に係る本発明の特定の実施の形態を示し、発明の不可欠な構成ばかりでなく、選択的及び好ましい実施の形態を含む。
【図１】本発明に係る使い捨ておむつの斜視図。
【図２】図１のＩＩ−ＩＩ線切断面を示す図。
【図３】着用状態にある図１のおむつの斜視図。
【図４】図１のおむつの部分破断展開図。
【図５】図４の展開図を使用してホットメルト接着剤の塗布状態を示す図。
【図６】図４のＶＩ−ＶＩ線切断面を示す図。
【図７】ホットメルト接着剤の塗布状態の他の一例を示す図。
【図８】実施態様の一例を示す図４と同様な図。
【手続補正３】
【補正対象書類名】明細書
【補正対象項目名】００２５
【補正方法】変更
【補正の内容】
【００２５】
図５は、アウター部材２６とインナー部材２７とを接合するために、アウター部材２６の内面１６に塗布されているホットメルト接着剤５８の塗布パターンの一例を示している。スパイラルスプレー方式を採用してスパイラルを画くように塗布されているホットメルト接着剤５８には、端縁部仮留め域６１および／または側縁部仮留め域６２の形成を主目的とし、アウター部材２６とインナー部材２７との接合にも寄与している仮留め用ホットメルト接着剤５８ａと、アウター部材２６とインナー部材２７との剥離不能な接合を目的とする止着用ホットメルト接着剤５８ｂとが含まれている。仮留め用ホットメルト接着剤５８ａと止着用ホットメルト接着剤５８ｂとには同じものを使用することができるが、例えば口径の異なるスプレーノズルを使い分けることによって、止着用ホットメルト接着剤５８ｂの単位面積当りの塗布量を多くする一方、仮留め用ホットメルト接着剤５８ａの単位面積当りの塗布量を少なくすることが好ましい。本発明の実施例の一つにおいて、仮留め用ホットメルト接着剤５８ａは、例えば口径が０．４１ｍｍのノズルを使用して線径の小さいスパイラルを画かせながら単位面積当りの塗布量を１−４ｇ／ｍ２の範囲におさめ、止着用ホットメルト接着剤５８ｂは、例えば口径０．６４ｍｍのノズルを使用して線径の大きいスパイラルを画かせながら単位面積当りの塗布量を仮留め用ホットメルト接着剤５８ａの単位面積当りの塗布量よりも多いが、１０ｇ／ｍ２を越えることがないようにして、端縁部仮留め域６１と側縁部仮留め域６２とでは、前後胴回り域１１，１２を損傷することなく剥離できるようにする一方、インナー部材２７は剥離しないようにしてある。なお、このように形成される端縁部仮留め域６１と側縁部仮留め域６２とは、横方向Ｘと前後方向Ｙとに少なくとも１０ｍｍの寸法を有していることが好ましい。インナー部材２７を接合するためのホットメルト接着剤５８を塗布しながら仮留め域６０を図示例の如くに作ることは、おむつ製造工程で使用するホットメルト接着剤の塗布機の製作費を低く抑えることに役立つ他に、ホットメルト接着剤塗布工程を短いものにすることにも役立つ。したがって、インナー部材２７が取り付けられる部位におけるアウター部材２６は、ホットメルト接着剤５８の単位面積当りの塗布量が仮留め域６０と同じ程度である塗布域と、仮留め域６０よりも多い塗布域とを含んでいる。ただし、その多い塗布域においての塗布量は、１０ｇ／ｍ２を越えることがない。
【手続補正４】
【補正対象書類名】明細書
【補正対象項目名】００２６
【補正方法】変更
【補正の内容】
【００２６】
おむつ１０の内面１６の汚れを防止するうえにおいて、仮留め域６０は、図示例の如く形成されていることが好ましいのであるが、前後端縁部４２，４３の少なくとも一方に隣接して形成される態様、両側縁部４１の少なくも一方に隣接して形成される態様のいずれかで本発明を実施することも可能である。
【手続補正５】
【補正対象書類名】明細書
【補正対象項目名】００３８
【補正方法】変更
【補正の内容】
【００３８】
上記段落に開示した本発明は、少なくとも下記の実施の形態を含むことができる。該実施の形態は、分離して又は互いに組み合わせて採択することができる。
（１）前記仮留め域において重なり合う前記内面どうしは、第１ホットメルト接着剤、前記内面を形成している不織布の繊維どうしの機械的な交絡および前記繊維どうしの溶着のいずれかによって再接合不能な状態で接合している。
（２）前記おむつが、前記前胴回り域と前記後胴回り域と前記股下域とのうちの少なくとも前記前胴回り域と前記後胴回り域とを有していて前記内面の少なくとも一部分が熱可塑性合成繊維の不織布で形成されているアウター部材と、前記股下域に位置するとともに前記股下域から前記前胴回り域と前記後胴回り域とに向かって延びていて前記アウター部材における前記内面に第２ホットメルト接着剤を介して取り付けられているインナー部材とを有し、前記インナー部材が前記吸収体を含むものであり、前記吸収体の前記周縁部の外側に位置している前記インナー部材の周縁部の外側に前記仮留め域が形成されている。
（３）前記第２ホットメルト接着剤が前記仮留め域にも存在し、前記第２ホットメルト接着剤の前記アウター部材に対する単位面積当りの塗布量の分布は、前記仮留め域の前記アウター部材に対する前記第１ホットメルト接着剤の単位面積当りの塗布量よりも多い部位を有している。
（４）前記仮留め域の前記第１ホットメルト接着剤の前記単位面積当りの塗布量が１−４ｇ／ｍ２であり、前記第２ホットメルト接着剤の前記多い部位における前記単位面積当りの塗布量が前記仮留め域における前記第１ホットメルト接着剤の前記単位面積当りの塗布量よりも多いが１０ｇ／ｍ２を越えることがない。
（５）前記前胴回り域と前記後胴回り域とのそれぞれが横方向へ伸長状態で延びる複数条の弾性部材を含み、前記インナー部材の前記周縁部は前記弾性部材と交差して延びる両側縁部と、前記弾性部材に並行して延びる両端縁部とを有し、前記インナー部材の前記周縁部の外側に形成された前記仮留め域における前記第１ホットメルト接着剤の塗布態様は、前記両側縁部の少なくとも一方に隣接するとともに、前記アウター部材の厚さ方向において前記弾性部材に重なる態様、および前記両端縁部の少なくとも一方に隣接するとともに、前記アウター部材の前記厚さ方向において前記弾性部材とは重なることのない態様のうちの少なくとも一方の態様にある。
（６）前記弾性部材は、前記アウター部材の前記厚さ方向において、前記インナー部材の前記両側縁部のそれぞれと伸長状態で重なり合う態様および前記両側縁部のそれぞれと非伸長状態で重なり合う態様のいずれかの態様にある。
（７）前記前胴回り域と前記後胴回り域とがそれぞれの横方向側縁部において互いに接合して、胴回り開口と一対の脚回り開口とが形成されているプルアップ型の使い捨ておむつおよび前記それぞれの横方向側縁部を互いに分離可能に連結して着用する開放型の使い捨ておむつのいずれかである。
【手続補正６】
【補正対象書類名】明細書
【補正対象項目名】００３９
【補正方法】変更
【補正の内容】
【００３９】
１０    使い捨ておむつ
１１    前胴回り域
１２    後胴回り域
１３    股下域
１６    内面
１７    外面
１８    側縁部
１９    側縁部
２２    胴回り開口
２３    脚回り開口
２６    アウター部材
２７    インナー部材
３３    弾性部材
３４    弾性部材
３５    弾性部材
３６    弾性部材
４１    周縁部（側縁部）
４２    周縁部（前端縁部）
４３    周縁部（後端縁部）
４６    吸収体
５８    ホットメルト接着剤
５８ａ    ホットメルト接着剤（第１ホットメルト接着剤）
５８ｂ    ホットメルト接着剤（第２ホットメルト接着剤）
６０    仮留め域
６１    仮留め域
６２    仮留め域
Ｘ    横方向
Ｙ    前後方向